(57)【要約】【課題】試し繰り出しに掛かる手間を低減する作業車両を提供する。【解決手段】作業車両は、走行車体に設けられ、肥料を貯留する貯留部と、貯留部の下方に設けられ、貯留部から肥料を繰り出す繰出部と、繰出部を回転させて肥料の試し繰り出しを行う電動モータと、試し繰り出しが行われた場合に、繰り出された肥料の重量を計測する計測部と、試し繰り出しにより繰り出された肥料を計測部へ移送する中空部材とを備える。【選択図】図２
2018198562.tif 000002
【特許請求の範囲】
【請求項１】
走行車体に設けられ、肥料を貯留する貯留部と、
前記貯留部の下方に設けられ、前記貯留部から前記肥料を繰り出す繰出部と、
前記繰出部を回転させて前記肥料の試し繰り出しを行う電動モータと、
前記試し繰り出しが行われた場合に、繰り出された前記肥料の重量を計測する計測部と、
前記試し繰り出しにより繰り出された前記肥料を前記計測部へ移送する中空部材と
を備えることを特徴とする作業車両。
【請求項２】
前記計測部は、移送された前記肥料が載置され、脱着可能な皿部を備える
ことを特徴とする請求項１に記載の作業車両。
【請求項３】
前記計測部は、前記走行車体の側方に設けられる
ことを特徴とする請求項１または２に記載の作業車両。
【請求項４】
前記繰出部から繰り出された前記肥料を圃場まで移送する施肥ホースと、
前記肥料を移動させる運送風を前記施肥ホース内に供給するブロアと
を備え、
前記電動モータおよび前記計測部は、前記走行車体の一方の側方に設けられ、
前記ブロアは、前記走行車体の他方の側方に設けられる
ことを特徴とする請求項１から３のいずれか一つに記載の作業車両。
【請求項５】
前記繰出部は、複数設けられ、
前記電動モータは、複数の前記繰出部の一部を回転させて前記試し繰り出しを行う
ことを特徴とする請求項１から４のいずれか一つに記載の作業車両。
【請求項６】
前記計測部によって計測された前記肥料の重量に関する情報を受信し、受信した前記情報に基づいて前記肥料の比重を算出する情報処理装置を備える
ことを特徴とする請求項１から５のいずれか一つに記載の作業車両。
【請求項７】
前記情報処理装置は、前記電動モータを操作する操作部を備える
ことを特徴とする請求項６に記載の作業車両。
【発明の詳細な説明】
【技術分野】
【０００１】
本発明は、作業車両に関する。
【背景技術】
【０００２】
従来、例えば、苗移植時に、圃場に肥料を供給しながら作業を行う作業車両が知られている（例えば、特許文献１参照）。このような作業車両では、貯留部から繰り出される肥料の繰り出し量を調整することができる。肥料は、種類や、使用時の状態に応じて比重が異なるため、予め肥料が適切に繰り出されるかどうかを試し繰り出しを行うことにより確かめる必要がある。
【先行技術文献】
【特許文献】
【０００３】
【特許文献１】特開２０１４−２３０５１９号公報
【発明の概要】
【発明が解決しようとする課題】
【０００４】
しかしながら、上記作業車両では、試し繰り出しを行うことは考慮されていない。そのため、上記作業車両では、例えば、試し繰り出しを行う場合には、試し繰り出しにより繰り出された肥料を手作業で重量計に載せて、肥料の重量を計測しなければならず、手間が掛かる。
【０００５】
本発明は、上記に鑑みてなされたものであって、試し繰り出しに掛かる手間を低減する作業車両を提供することを目的とする。
【課題を解決するための手段】
【０００６】
上記した課題を解決し、目的を達成するために、請求項１に記載の作業車両は、走行車体に設けられ、肥料を貯留する貯留部と、前記貯留部の下方に設けられ、前記貯留部から前記肥料を繰り出す繰出部と、前記繰出部を回転させて前記肥料の試し繰り出しを行う電動モータと、前記試し繰り出しが行われた場合に、繰り出された前記肥料の重量を計測する計測部と、前記試し繰り出しにより繰り出された前記肥料を前記計測部へ移送する中空部材とを備えることを特徴とする。
【０００７】
請求項２に記載の作業車両は、請求項１に記載の作業車両において、前記計測部は、移送された前記肥料が載置され、脱着可能な皿部を備えることを特徴とする。
【０００８】
請求項３に記載の作業車両は、請求項１または２に記載の作業車両において、前記計測部は、前記走行車体の側方に設けられることを特徴とする。
【０００９】
請求項４に記載の作業車両は、請求項１から３のいずれか一つに記載の作業車両において、前記繰出部から繰り出された前記肥料を圃場まで移送する施肥ホースと、前記肥料を移動させる運送風を前記施肥ホース内に供給するブロアとを備え、前記電動モータおよび前記計測部は、前記走行車体の一方の側方に設けられ、前記ブロアは、前記走行車体の他方の側方に設けられることを特徴とする。
【００１０】
請求項５に記載の作業車両は、請求項１から４のいずれか一つに記載の作業車両において、前記繰出部は、複数設けられ、前記電動モータは、複数の前記繰出部の一部を回転させて前記試し繰り出しを行うことを特徴とする。
【００１１】
請求項６に記載の作業車両は、請求項１から５のいずれか一つに記載の作業車両において、前記計測部によって計測された前記肥料の重量に関する情報を受信し、受信した前記情報に基づいて前記肥料の比重を算出する情報処理装置を備えることを特徴とする。
【００１２】
請求項７に記載の作業車両は、請求項６に記載の作業車両において、前記情報処理装置は、前記電動モータを操作する操作部を備えることを特徴とする。
【発明の効果】
【００１３】
請求項１に記載の作業車両によれば、試し繰り出しに掛かる手間を低減することができる。
【００１４】
請求項２に記載の作業車両によれば、請求項１に記載の発明の効果に加えて、計測した肥料を容易に貯留部に戻すことができる。
【００１５】
請求項３に記載の作業車両によれば、請求項１または２に記載の発明の効果に加えて、皿部の取り外しを容易に行うことができ、作業性を向上させることができる。
【００１６】
請求項４に記載の作業車両によれば、請求項１から３のいずれか一つに記載の発明の効果に加えて、作業車両の左右方向における重量のバランスが偏ることを抑制し、作業車両の走行性能が低下することを抑制することができる。
【００１７】
請求項５に記載の作業車両によれば、請求項１から４のいずれか一つに記載の発明の効果に加えて、試し繰り出し後に貯留部に戻す肥料の量を少なくすることができ、作業性を向上させることができる。
【００１８】
請求項６に記載の作業車両によれば、請求項１から５のいずれか一つに記載の発明の効果に加えて、比重を算出する際の作業者の手間を低減することができる。
【００１９】
請求項７に記載の作業車両によれば、請求項６に記載の発明の効果に加えて、試し繰り出しを行う際の作業者の手間を低減し、作業性を向上させることができる。
【図面の簡単な説明】
【００２０】
【図１】図１は、実施形態に係る作業車両としての苗移植機の側面図である。
【図２】図２は、苗移植機の平面図である。
【図３】図３は、重量計を右側方から見た概略図である。
【図４】図４は、苗移植機が備える制御装置を中心としたブロック図である。
【図５】図５は、情報処理端末における表示例を示す図である。
【図６】図６は、繰り出し量設定制御を説明するフローチャートである。
【発明を実施するための形態】
【００２１】
以下に、本発明の実施形態に係る作業車両を、自走型の苗移植機として図面を参照しながら詳細に説明する。なお、下記実施形態における構成要素には、当業者が置換可能かつ容易なもの、あるいは実質的に同一のもの、いわゆる均等の範囲のものが含まれる。さらに、本発明は、上記実施形態に限定されるものではなく、本発明の骨子を逸脱しない範囲で種々変形して実施することができる。
【００２２】
図１は、実施形態に係る作業車両としての苗移植機１の側面図である。図２は、苗移植機１の平面図である。なお、以下の説明においては、前後、左右の方向基準は、苗移植機１の操縦座席２８からみて、走行車体２の走行方向を基準とする。また、以下では、苗移植機１を指して機体と記す場合がある。
【００２３】
苗移植機１は、作業者が搭乗することができ、圃場で対地作業を行う作業部としての苗植付部５０と施肥装置７０とを後部に取り付け可能な走行車体２を有している。走行車体２は、左右一対の前輪４と、左右一対の後輪５とを有する。本実施形態に係る苗移植機１は、走行時には前輪４、後輪５が共に駆動する四輪駆動車としており、圃場や道路を走行することが可能である。また、対地作業として植付作業を行う苗植付部５０は、苗植付部昇降機構４０によって走行車体２の後部に昇降可能に取付けられる。なお、施肥装置７０については後に詳述する。
【００２４】
走行車体２は、車体の略中央に配置されたメインフレーム７と、メインフレーム７の上に搭載されたエンジン１０と、エンジン１０の動力を駆動輪と苗植付部５０とに伝える動力伝達装置１５とを有する。また、本実施形態に係る苗移植機１では、動力源であるエンジン１０には、ディーゼル機関やガソリン機関等の熱機関が用いられ、発生した動力は、走行車体２を前進や後進させるために用いるのみでなく、苗植付部５０などを駆動させるためにも使用される。
【００２５】
また、エンジン１０は、走行車体２の左右方向における略中央で、且つ、作業者が乗車時に足を載せるフロアステップ２６よりも上方に突出させた状態で配置される。フロアステップ２６は、走行車体２の前部とエンジン１０の後部との間に亘ってメインフレーム７上に取り付けられており、その一部が格子状になることにより、靴に付いた泥を圃場に落とすことができる。また、フロアステップ２６の後方には、後輪５のフェンダを兼ねたリアステップ２７が設けられる。リアステップ２７は、後方に向うに従って上方に向う方向に傾斜した傾斜面を有し、エンジン１０の左右それぞれの側方に配置される。
【００２６】
エンジン１０は、フロアステップ２６とリアステップ２７とから上方に突出しており、これらのステップ２６、２７から突出している部分には、エンジン１０を覆うエンジンカバー１１が設けられる。すなわち、エンジンカバー１１は、フロアステップ２６とリアステップ２７とから上方に突出した状態で、エンジン１０を覆っている。
【００２７】
また、走行車体２には、エンジンカバー１１の上部に、作業者が着席する操縦座席２８が設置され、かかる操縦座席２８の前方で、且つ走行車体２の前側中央部に操縦部３０が配設される。操縦部３０は、フロアステップ２６の床面から上方に突出した状態で配置されており、フロアステップ２６の前部側を左右に分断している。
【００２８】
操縦部３０の前部には、開閉可能なフロントカバー３１が設けられる。また、操縦部３０の上部には、変速レバー３５や副変速レバー３８などの操作レバーや計器類、ハンドル３２などが配設される。ハンドル３２は、作業者が前輪４を操舵操作することにより、操縦部３０内の操作装置等を介して前輪４を操舵することができ、図示しないステアリングアームに連動連結している。変速レバー３５は、走行車体２の前後進と走行出力を切替操作する。また、副変速レバー３８は、走行車体２の走行速度を、走行する場所に応じた速度に切り替えることができる。変速レバー３５および副変速レバー３８は、ハンドル３２を挟んで機体左右側にそれぞれ独立して配設される。
【００２９】
また、フロアステップ２６における操縦部３０の左右それぞれの側方に位置する部分には、補給用の苗を載せておく補助苗枠６５が配置される。補助苗枠６５は、フロアステップ２６の床面から突出した支持軸（鉛直軸）によって回転自在に支持され、作業者により回動させることが可能である。
【００３０】
エンジン１０の動力を、前輪４、後輪５を含む走行装置と苗植付部５０とに伝える動力伝達装置１５は、エンジン１０から伝達される駆動力を変速する変速装置としての油圧式無段変速機１６と、油圧式無段変速機１６にエンジン１０からの動力を伝えるベルト式動力伝達機構１７とを有する。
【００３１】
油圧式無段変速機１６は、いわゆる、ＨＳＴ（Hydro  Static  Transmission）と云われる静油圧式の無段変速装置である。すなわち、油圧式無段変速機１６は、可変容量型の油圧ポンプと固定容量型の油圧モータで構成され、油圧ポンプの可動斜板の傾きを変えることで油圧モータの回転を変更する。可動斜板の傾きは、操作手段の動きを検出して作動する油圧シリンダなどのアクチュエータによって変更される。このように、油圧式無段変速機１６は、エンジン１０からの動力で駆動する油圧ポンプによって油圧を発生させ、油圧を油圧モータで機械的な力（回転力）に変換して出力する。
【００３２】
こうして、油圧式無段変速機１６は、エンジン１０で発生する動力を、走行車体２を走行させる力に変換することができ、回転力の方向や回転速度を変更することにより、走行車体２の前後進及び走行速度を変更することが可能である。したがって、例えば、変速レバー３５を操作して油圧式無段変速機１６の出力及び出力方向を変更することにより、走行車体２の前後進及び走行速度を操作することができる。
【００３３】
かかる油圧式無段変速機１６は、エンジン１０よりも前方で、且つ、フロアステップ２６の床面よりも下方に配置されており、本実施形態に係る苗移植機１では、走行車体２の上面から見て、エンジン１０の前方に配置されている。
【００３４】
また、ベルト式動力伝達機構１７は、エンジン１０の出力軸に取り付けたプーリと、油圧式無段変速機１６の入力軸に取り付けたプーリと、双方のプーリに巻き掛けたベルトと、さらには、ベルトの張力を調整するテンションプーリとを有する。これにより、ベルト式動力伝達機構１７は、エンジン１０で発生した動力を、ベルトを介して油圧式無段変速機１６に伝達することができる。
【００３５】
また、動力伝達装置１５は、エンジン１０からの駆動力を各部に伝達する伝動装置であるミッションケース１８をさらに有する。ミッションケース１８は、副変速機構（図示省略）を内設している。副変速機構は、油圧式無段変速機１６で変速したエンジン１０からの駆動力を各部に伝達する。副変速機構は、路上走行時や植付時等における走行車体２の作業速度を切り替える。副変速レバー３８は、ミッションケース１８内の副変速機構を操作することにより、走行車体２の走行速度を切り替えることが可能である。ミッションケース１８は、ベルト式動力伝達機構１７と油圧式無段変速機１６とを介して伝達されたエンジン１０からの出力を、当該ミッションケース１８内の副変速機構で変速して、前輪４と後輪５への走行用動力と、苗植付部５０への駆動用動力とに分けて出力する。
【００３６】
このうち、走行用動力は、一部が左右の前輪ファイナルケース１３を介して前輪４に伝達可能であり、残りが左右の後輪ギヤケース２２を介して後輪５に伝達可能である。左右それぞれの前輪ファイナルケース１３は、ミッションケース１８の左右それぞれの側方に配設される。左右の前輪４は、車軸を介して左右の前輪ファイナルケース１３に連結されており、かかる前輪ファイナルケース１３は、ハンドル３２の操舵操作に応じて駆動し、前輪４を転舵させることが可能である。同様に、左右それぞれの後輪ギヤケース２２には、車軸を介して後輪５が連結されている。一方、駆動用動力は、走行車体２の後部に設けた植付クラッチ（図示省略）に伝達され、かかる植付クラッチの係合時に植付伝動軸（図示省略）によって苗植付部５０へ伝達される。
【００３７】
また、走行車体２に取付けられた苗植付部５０を昇降させる苗植付部昇降機構４０は、昇降リンク機構４１を有する。苗植付部５０は、走行車体２の後部に設けた昇降リンク機構４１を介して取り付けられる。昇降リンク機構４１は、走行車体２の後部と苗植付部５０とを連結させる平行リンク機構を有する。かかる平行リンク機構は、上リンク４２ａと下リンク４２ｂとを有し、これらのリンク４２ａ、４２ｂが、メインフレーム７の後部端に立設した背面視門型のリンクベースフレーム４３に回動自在に連結される。そして、リンク４２ａ、４２ｂの他端側が苗植付部５０に回転自在に連結されることによって、苗植付部５０は昇降可能に走行車体２に連結される。
【００３８】
また、苗植付部昇降機構４０は、油圧によって伸縮する油圧式の昇降シリンダ４４を有し、昇降シリンダ４４の伸縮動作によって、苗植付部５０を昇降させることができる。苗植付部昇降機構４０は、その昇降動作によって、昇降リンク機構４１を昇降動作させ、苗植付部５０を非作業位置まで上昇させたり、植付作業位置まで下降させたりすることができる。
【００３９】
また、苗植付部５０は、苗を植え付ける範囲を複数の区画、あるいは複数の列で植え付けることができる。本実施形態に係る作業車両は、苗を６つの区画で植え付ける、いわゆる６条植の苗移植機１である。
【００４０】
苗植付部５０は、苗植付装置６０と、苗載置台５１及びフロート４７（４８、４９）とを有する。このうち、苗載置台５１は、走行車体２の後部に複数条の苗を積載する苗載置部材として設けられており、走行車体２の左右方向において仕切られた植付条数分の苗載せ面５２を有し、それぞれの苗載せ面５２に土付きのマット状苗を載置することが可能である。
【００４１】
また、苗植付装置６０は、苗載置台５１の下部に配設されており、苗載置台５１の前面側に配設される植付支持フレーム５５によって支持される。苗植付装置６０は、苗載置台５１に載置された苗を取って圃場に植え付ける装置であり、植付伝動ケース６４と植付体６１とを有する。このうち、植付体６１は、苗載置台５１から苗を取って圃場に植え付けることができるように構成されており、植付伝動ケース６４は、植付体６１に駆動力を供給することが可能である。
【００４２】
また、植付伝動ケース６４は、エンジン１０から苗植付部５０に伝達された動力を、植付体６１に供給可能に構成されており、植付体６１は、植付伝動ケース６４に対して回転可能に連結される。また、植付体６１は、苗載置台５１から苗を取って圃場に植え付ける植込杆６２と、植込杆６２を回転可能に支持すると共に植付伝動ケース６４に対して回転可能に連結されるロータリケース６３とを有する。ロータリケース６３は、植付伝動ケース６４から伝達された駆動力によって植込杆６２を回転させる際に、回転速度を変化させながら回転させることのできる不等速伝動機構（図示省略）を内装している。これにより、植付体６１の回転時には、植込杆６２は、ロータリケース６３に対する回転角度によって回転速度が変化しながら回転することができる。
【００４３】
このように構成される苗植付装置６０は、２条毎に１つずつ配設されている。すなわち、複数の苗植付装置６０は、それぞれ植付条が割り当てられている。また、各植付伝動ケース６４は、２条分の植付体６１を回転可能に有している。つまり、１つの植付伝動ケース６４には、２つのロータリケース６３が、機体左右方向の両側に連結される。本実施形態に係る苗移植機１が有する苗植付装置６０は、植付伝動ケース６４を３つ有しており、６条分の植付体６１を有している。
【００４４】
また、フロート４７は、走行車体２の移動と共に、圃場面上を滑走して整地するものであり、走行車体２の左右方向における苗植付部５０の中央に位置するセンターフロート４８と、左右方向における苗植付部５０の両側に位置するサイドフロート４９、４９とを有する。
【００４５】
各フロート４８、４９は、圃場表土面の凹凸に応じて前端側が上下動するように回動自在に取り付けられる。苗植付装置６０は、センターフロート４８の上下動を検知する迎角制御用の回動センサ１１４（図４参照）を有する。苗植付装置６０は、植付作業時にはセンターフロート４８の前部の上下動が回動センサ１１４により検知され、その検知結果に応じて制御装置１５０を構成するコントローラ１５０ａ（図４参照）により昇降シリンダ４４の伸縮動作を制御する油圧制御弁１０４（図４参照）を切り替えて苗植付部５０を昇降させ、苗の植付深さを常に一定に維持することができる。
【００４６】
また、苗植付部５０の下方側の位置における前側には、圃場の整地を行う整地装置８０が走行車体２に支持された状態で設けられる。整地装置８０は、苗植付面の凹凸を均すことによって、凹凸を検知して苗植付部５０が頻繁に昇降動作を繰り返し、結果的に苗の植付深さが不均一になることを防止するものであり、前ロータ８１、後ロータ８２を有する。なお、本実施形態においては、整地装置８０への動力は、エンジン１０からの出力を伝達軸を介して後輪ギヤケース２２から伝達するようにしているが、例えばモータなどから直接伝達されるように構成してもよい。
【００４７】
また、図１および図２に示すように、苗植付部５０の左右両側には、次の植付条に進行方向の目安になる線を形成する線引きマーカ６８が、機体の外方向へ出退自在に設けられる。線引きマーカ６８は、苗移植機１が圃場内における直進前進時に、圃場の畦際で転回した後に直進前進する際の目印を圃場上に線引きする。また、走行車体２の操縦部３０には、切替スイッチ（図示省略）が設けられており、切替スイッチによるスイッチ操作により、線引きマーカ６８を作業に合わせて出退させる作動状態と、使用しない非作動状態とに切り替えることができる。
【００４８】
なお、圃場の土質によっては、左右の線引きマーカ６８により形成したガイド線がすぐに埋もれてしまい、直進の目安が消えてしまうことがある。そこで、走行車体２の前側左右にサイドマーカ１９を設けている。ガイド線が消えてしまうような場合、左右のサイドマーカ１９を機体外側方向に移動させ、植え付けられた苗の上方にサイドマーカ１９を位置させることで、前の作業条の苗の植え付けに合わせた植付作業が可能になる。
【００４９】
走行車体２と苗植付部５０との間、すなわち、走行車体２における操縦座席２８の後方には施肥装置７０が搭載される。
【００５０】
施肥装置７０は、肥料を貯留する貯留ホッパ７１と、貯留ホッパ７１から肥料を繰り出す繰出部７２と、繰出部７２により繰り出された肥料を圃場に供給する施肥通路である施肥ホース７４と、施肥ホース７４に移送風を供給するブロア７３と、電動モータ７７によって繰出部７２により繰り出された肥料を重量計９０に移送する案内通路である案内ホース７８と、繰り出された肥料の移送経路を施肥ホース７４または案内ホース７８に切り替える切替弁（図示省略）とを有する。なお、案内通路は、剛性が高い材質で構成されてもよい。
【００５１】
さらに、施肥装置７０は、苗植付部５０の下方に配設されると共に、施肥ホース７４によって肥料が移送される施肥ガイド７５と、施肥ガイド７５の前側に設けられるとともに、施肥ホース７４によって移送された肥料を苗植付条の側部近傍に形成される施肥溝内に落とし込む作溝器７６とを有する。施肥ホース７４や施肥ガイド７５は、条数に応じて６本設けられる。
【００５２】
貯留ホッパ７１は、左右方向に延設され、下方で６つの室に分岐される。各室の底部には、繰出部７２が設けられる。貯留ホッパ７１の上端は、開口しており、肥料を上方から投入することができる。また、貯留ホッパ７１の上端には、開閉可能な蓋（図示省略）が取り付けられる。
【００５３】
繰出部７２は、苗移植機１の条数に応じて設けられる。本実施形態に係る苗移植機１は、６条植の構成であるため、６つの繰出部７２が設けられる。繰出部７２は、円柱状部材の外周部に複数の凹部（図示省略）を有する。繰出部７２は、円柱状部材の中心軸を回転軸として回転する。凹部は、回転方向に沿って複数形成され、円柱状部材の径方向に向けて開口する。
【００５４】
繰出部７２は、上方および下方で露出するように貯留ホッパ７１に保持される。繰出部７２は、上方に位置する凹部に肥料を流入させ、肥料が入った凹部を回転により下方に移動させることで、肥料を凹部から落下させる。これにより、肥料が貯留ホッパ７１から繰り出される。
【００５５】
また、繰出部７２の一部、具体的には、左右方向の右端に位置する繰出部７２Ａは、電動モータ７７によって回転可能となっている。電動モータ７７から伝達される駆動力によって繰出部７２Ａを回転させることで、肥料の比重を算出するための試し繰り出しを行うことができる。なお、繰出部７２Ａと電動モータ７７から伝達される駆動力の伝達経路との間、および繰出部７２Ａとエンジン１０から伝達される駆動力の伝達経路との間には、クラッチ（図示省略）がそれぞれ設けられ、駆動力の伝達を遮断可能となっている。
【００５６】
繰出部７２は、圃場に肥料を供給する場合には、エンジン１０から伝達される駆動力によって回転し、肥料を繰り出す。その際、繰出部７２は、施肥量調節モータ１０１（図４参照）により回転速度が調整されることで、苗移植機１の走行距離に対する施肥量を調整することができる。
【００５７】
圃場に肥料を供給する場合には、繰出部７２によって繰り出された肥料が施肥ホース７４に流入するように切替弁が操作される。施肥ホース７４に流入した肥料は、ブロア７３によって発生された移送風によって施肥ホース７４、施肥ガイド７５を通り、圃場に供給される。なお、繰出部７２Ａとエンジン１０から伝達される駆動力の伝達経路との間に設けられたクラッチは締結され、繰出部７２Ａは、他の繰出部７２と同じ回転速度で回転する。また、繰出部７２Ａと電動モータ７７から伝達される駆動力の伝達経路との間に設けられたクラッチは解放され、繰出部７２Ａと電動モータ７７との動力伝達は遮断される。
【００５８】
また、試し繰り出しを行う場合には、繰出部７２によって繰り出された肥料が案内ホース７８に流入するように切替弁が操作される。また、繰出部７２Ａと電動モータ７７から伝達される駆動力の伝達経路との間に設けられたクラッチは締結され、繰出部７２Ａは、電動モータ７７から伝達される駆動力によって回転する。また、繰出部７２Ａとエンジン１０から伝達される駆動力の伝達経路との間に設けられたクラッチは解放され、繰出部７２Ａは、他の繰出部７２とは異なり、単独で回転することができる。案内ホース７８に流入した肥料は、重量計９０内に移送される。なお、案内ホース７８および重量計９０は、肥料が自重により重量計９０まで移送されるように、繰出部７２よりも下方に設けられる。
【００５９】
ブロア７３は、走行車体２の左側方に配置される。また、電動モータ７７および重量計９０は、走行車体２の右側方に配置される。すなわち、ブロア７３と、電動モータ７７および重量計９０とは、走行車体２の反対側の側方に配置される。なお、ブロア７３を右側方に配置し、電動モータ７７および重量計９０を左側方に配置してもよい。
【００６０】
重量計９０は、図３に示すように、開閉可能な扉９１と、案内ホース７８によって移送された肥料が載置される受け皿９２と、重量センサ９３とを有する。重量計９０は、試し繰り出しにより繰り出された肥料の重量（以下、「試し繰り出し量」という。）を重量センサ９３によって計測する。受け皿９２は、脱着可能である。そのため、受け皿９２を取り外すことで、重量を計測した肥料を容易に貯留ホッパ７１に戻すことができる。図３は、重量計９０を右側方から見た概略図である。なお、図３は、扉９１を開いた状態を示している。
【００６１】
重量計９０は、試し繰り出し量を計測し、計測した試し繰り出し量に関する情報（信号）を後述する情報処理端末１５０ｂに転送する。すなわち、重量計９０は情報処理端末１５０ｂと通信可能であり、試し繰り出し量に関する情報は、自動的に情報処理端末１５０ｂに入力される。
【００６２】
次に、苗移植機１の制御系について説明する。図４は、苗移植機１の制御装置１５０を中心としたブロック図である。本実施形態に係る苗移植機１は、電子制御によって各部を制御することが可能になっており、苗移植機１は、各部を制御する制御装置１５０を有する。制御装置１５０は、走行車体２に設けられるコントローラ１５０ａと、脱着自在な情報処理端末１５０ｂとを有する。
【００６３】
コントローラ１５０ａ、および情報処理端末１５０ｂは、ＣＰＵ（Central  Processing  Unit）等を有する処理部や、ＲＯＭ（Read  Only  Memory）、ＲＡＭ（Random  Access  Memory）等の記憶部、さらには入出力部が設けられ、これらは互いに接続されて互いに信号の受け渡しが可能である。記憶部には、苗移植機１を制御するコンピュータプログラムなどが格納される。コントローラ１５０ａ、および情報処理端末１５０ｂは、記憶部に格納されたコンピュータプログラムなどを読み出すことで、各機能を発揮させる。
【００６４】
例えば、コントローラ１５０ａは、深度センサ１１１や回動センサ１１４により取得した情報に基づいて、苗植付部５０などを昇降させる自動昇降処理を行う。
【００６５】
例えば、コントローラ１５０ａには、アクチュエータ類として、エンジン１０の吸気量を調節するスロットル（図示省略）を作動させることにより、エンジン１０の回転速度を増減させるスロットルモータ１００、繰出部７２の回転速度を制御し、圃場への施肥量を調節する施肥量調節モータ１０１、ブロア７３を駆動するブロアモータ１０２、深度センサ１１１を回動させる回動モータ１０３、昇降シリンダ４４の伸縮動作を制御する油圧制御弁１０４などが接続される。
【００６６】
また、コントローラ１５０ａには、センサ類としては、肥料濃度センサ１１０、深度センサ１１１、水温センサ１１２、傾斜センサ１１３、回動センサ１１４、重量センサ９３などが接続される。
【００６７】
肥料濃度センサ１１０は、左右の前輪４にそれぞれ設けられ、左右の前輪４間の肥料濃度を検出する。例えば、肥料濃度センサ１１０は、環状の電極板で構成され、前輪４の機体内側または外側で、且つ土壌や水中に近い外周縁部付近に配置される。
【００６８】
深度センサ１１１は、取付軸などを介して走行車体２に回動自在となるように複数取り付けられている。例えば、深度センサ１１１は、超音波やレーザー光の反射により水面、または土壌表面までの深さを測定する。
【００６９】
水温センサ１１２は、肥料濃度センサ１１０を構成する電極板に取り付けられ、水温を検出する。
【００７０】
肥料濃度センサ１１０、深度センサ１１１、および水温センサ１１２は、圃場の状態、つまり土壌肥沃度を検出するセンサである。
【００７１】
傾斜センサ１１３は、走行車体２のピッチングすなわち上下方向への傾斜を検出する。コントローラ１５０ａは、傾斜センサ１１３が検出する走行車体２の傾斜角度に合わせて深度センサ１１１が常時鉛直方向に向くように、回動モータ１０３を駆動して深度センサ１１１を取付軸まわりに回動させる。
【００７２】
情報処理端末１５０ｂは、タッチパネル式のディスプレイによって構成されたタブレット端末である。情報処理端末１５０ｂは、文字、数字、記号などの情報を読み取ることができるスキャナ機能を有している。情報処理端末１５０ｂは、例えば、肥料の袋などに印刷されたバーコードを読み取り、肥料の種類などを読み取ることができる。
【００７３】
また、情報処理端末１５０ｂは、コントローラ１５０ａと協働しながら苗植付部５０、施肥装置７０などの作動を制御することができる。なお、情報処理端末１５０ｂは、他の作業車両に接続された状態で記憶された情報などに基づいて苗植付部５０、施肥装置７０などの作動を制御することができる。
【００７４】
情報処理端末１５０ｂには、操作画面に、例えば、図５に示すような操作ボタンが表示され、操作ボタンをタッチすることで、施肥装置７０などの作動を制御することができる。図５は、情報処理端末１５０ｂにおける表示例を示す図である。
【００７５】
情報処理端末１５０ｂには、操作ボタンとして、施肥量（圃場に供給する肥料の全重量）を入力するためのボタン２００、減肥率を選択するためのボタン２０１、田植を開始するためのボタン２０２、比重などが表示される。例えば、施肥量を入力するためのボタン２００がタッチされると、施肥量を入力する画面が表示され、施肥量を入力することができる。また、田植を開始するためのボタン２０２がタッチされると、田植が開始される。
【００７６】
なお、情報処理端末１５０ｂには、上記するボタン２００〜２０２の他にも、苗植付部５０や、施肥装置７０などの作動を制御するための操作ボタンなどが表示される。
【００７７】
苗移植機１は、上記構成により、肥料を圃場に供給しながら苗を圃場に植え付けることができる。ここで、施肥装置７０による肥料の供給動作について、詳しく説明する。
【００７８】
肥料を圃場に供給する場合には、まず、圃場に供給する肥料の施肥量が情報処理端末１５０ｂに入力される。施肥量は、圃場の広さ、および使用する肥料の種類に応じて入力される。
【００７９】
次に、繰出部７２Ａから繰り出された肥料の移送経路が案内ホース７８側となるように切替弁が切り替えられる。そして、繰出部７２が電動モータ７７によって所定回数（例えば、３０回）回転され、試し繰り出しが行われる。試し繰り出しによって繰り出された肥料は、案内ホース７８を介して重量計９０の受け皿９２に載置される。そして、重量計９０によって、試し繰り出し量が計測される。重量計９０によって計測された、試し繰り出し量に関する情報は、情報処理端末１５０ｂに転送される。
【００８０】
情報処理端末１５０ｂは、試し繰り出し量に関する情報を受信すると、以下の式に基づいて、比重を算出する。
【００８１】
比重＝試し繰り出し量×補正係数
【００８２】
補正係数は、案内ホース７８などの抵抗等に応じて設定される値であり、苗移植機１の種類に応じて予め実験などにより設定された値である。
【００８３】
情報処理端末１５０ｂは、算出した比重と施肥量とに基づいて、繰出部７２の回転速度を設定する。
【００８４】
情報処理端末１５０ｂは、算出した比重と標準比重とを比較し、標準比重に対する比重のずれを算出する。標準比重は、使用する肥料の種類や、苗移植機１の種類に応じて設定される値である。使用する肥料の種類は、例えば、使用する肥料のケースに印刷されたバーコードを、情報処理端末１５０ｂで読み取ることで得ることができる。
【００８５】
圃場に供給される肥料は、使用する時の天候（温度や、湿度）に応じて、繰出部７２の凹部に流入する量が異なる場合がある。そのため、繰出部７２から繰り出される肥料の繰り出し量は、圃場に肥料を供給する時の天候に応じて変化する。
【００８６】
例えば、比重が大きい場合には、繰出部７２の凹部に流入する肥料が多く、繰出部７２による繰り出し量が多くなり、圃場に供給される施肥量が多くなる。一方、比重が小さい場合には、繰出部７２の凹部に流入する肥料が少なく、繰出部７２による繰り出し量が小さくなり、圃場に供給される施肥量が少なくなる。
【００８７】
このように、比重が変わることで、設定された施肥量よりも多くの肥料が圃場に供給されたり、設定された施肥量よりも少ない肥料が圃場に供給されたりするおそれがある。
【００８８】
そのため、情報処理端末１５０ｂは、算出した比重と標準比重とのずれを算出し、算出したずれに基づいて、繰出部７２の回転速度を設定する。
【００８９】
算出した比重が、標準比重よりも大きい場合には、圃場への施肥量が設定された施肥量となるように、繰出部７２の回転速度を所定回転速度よりも低くする。また、算出した比重が、標準比重よりも小さい場合には、圃場への施肥量が設定された施肥量となるように、繰出部７２の回転速度を所定回転速度よりも高くする。所定回転速度は、予め設定された回転速度であり、施肥量に応じて設定される。
【００９０】
情報処理端末１５０ｂは、比重と施肥量とに基づいて、繰出部７２の回転速度を設定することで、繰出部７２の繰り出し量を調整する。これにより、設定された施肥量の肥料が圃場に供給される。
【００９１】
試し繰り出しを行った後は、繰出部７２Ａから繰り出された肥料の移送経路が施肥ホース７４側となるように切替弁が切り替えられる。
【００９２】
その後、情報処理端末１５０ｂに表示された田植を開始するためのボタン２０２がタッチされると、繰出部７２の回転速度が、設定された回転速度となるように施肥量調節モータ１０１が制御され、繰出部７２から肥料が繰り出され、肥料が圃場に供給される。
【００９３】
なお、圃場の土壌肥沃度に応じて、圃場に供給する肥料の量を調整する可変施肥を実行する場合には、肥料濃度センサ１１０、深度センサ１１１、および水温センサ１１２からの信号に基づいて、施肥量調節モータ１０１が制御され、繰出部７２の回転速度が自動的に変更される。
【００９４】
また、情報処理端末１５０ｂの減肥率を選択するためのボタン２０１がタッチされると、減肥率に応じて、施肥量調節モータ１０１が制御され、繰出部７２の回転速度が自動的に変更される。
【００９５】
次に、繰り出し量設定制御について、図６のフローチャートを用いて説明する。図６は繰り出し量設定制御を説明するフローチャートである。
【００９６】
情報処理端末１５０ｂに施肥量が入力され（ステップＳ１０）、試し繰り出しが行われ（ステップＳ１１）、試し繰り出し量に関する情報が重量計９０から転送されると（ステップＳ１２）、情報処理端末１５０ｂは、比重を算出する（ステップＳ１３）。
【００９７】
そして、情報処理端末１５０ｂは、算出した比重と施肥量とに基づいて繰出部７２の回転速度を設定する（ステップＳ１４）。
【００９８】
このような繰り出し量の設定は、作業開始時、例えば、植え付けを行う日時が変更された場合や、使用する肥料が変更された場合に行われる。
【００９９】
次に本実施形態の効果について説明する。
【０１００】
苗移植機１は、電動モータ７７によって繰出部７２を回転させて肥料の試し繰り出しを行い、試し繰り出しによって繰り出された肥料を案内ホース７８によって重量計９０まで移送し、試し繰り出し量を重量計９０によって計測する。これにより、作業者は、試し繰り出しのために手動で繰出部７２を回転させる必要がなく、試し繰り出しに掛かる手間を低減することができ、作業性を向上させることができる。また、作業者は、試し繰り出しによって繰り出された肥料を苗移植機１から取り出し、重量を計測する必要がなく、試し繰り出しに掛かる手間を低減することができ、作業性を向上させることができる。また、雨が降っている場合や、風が強い場合でも、これらの影響を低減した試し繰り出しを行うことができ、肥料の比重を算出することができる。そのため、適切な量の肥料を圃場に供給することができ、肥料過多、または肥料不足による作物の生育不良を抑制することができる。
【０１０１】
重量計９０は、脱着可能な受け皿９２を有する。これにより、受け皿９２を取り外すことで、重量計９０によって計測した肥料を容易に貯留ホッパ７１に戻すことができる。
【０１０２】
重量計９０は、走行車体２の側方に設けられる。これにより、受け皿９２の取り外しなどを容易に行うことができ、作業性を向上させることができる。
【０１０３】
電動モータ７７および重量計９０は、走行車体２の一方の側方に設けられる。また、ブロア７３は、走行車体２の他方の側方に設けられる。これにより、左右方向で重量のバランスが偏ることを抑制し、電動モータ７７および重量計９０を設けた場合でも、苗移植機１の走行性能が低下することを抑制することができる。
【０１０４】
電動モータ７７は、繰出部７２Ａを回転させ、試し繰り出しを行う。これにより、試し繰り出し後に貯留ホッパ７１に戻す肥料の量を少なくし、作業性を向上させることができる。
【０１０５】
情報処理端末１５０ｂは、重量計９０によって計測された試し繰り出し量に関する情報を受信し、受信した情報に基づいて肥料の比重を算出する。これにより、比重を算出する際に、作業者の手間を低減することができる。
【０１０６】
次に、上記実施形態の変形例について説明する。
【０１０７】
上記実施形態では、貯留ホッパ７１を左右方向の延設された１つのタンクとしたが、これに限られることはない。貯留ホッパ７１を、走行車体２の左右に一対配設してもよい。
【０１０８】
また、電動モータ７７によって複数の繰出部７２を駆動させてもよい。これにより、各繰出部７２により、繰り出し量の誤差がある場合でも、これらの誤差の影響を小さくした試し繰り出し量を計測することができる。そのため、より適切に肥料を圃場に供給することができ、作物の生育をより向上させることができる。なお、情報処理端末１５０ｂは、繰出部７２の数に応じて比重を算出する式を変更する。情報処理端末１５０ｂは、試し繰り出し量を繰出部７２の数によって除算して比重を算出する。
【０１０９】
また、この場合、案内ホース７８は、複数の繰出部７２から繰り出された肥料をまとめて重量計９０まで移送する。これにより、１つの重量計９０によって試し繰り出し量を計測することができ、重量計９０の数が増加することを抑制し、コストを抑制することができる。また、苗移植機１の重量が大きくなることを抑制することができる。
【０１１０】
また、重量計９０を後輪ギヤケース２２の後方に設けてもよい。これにより、重量計９０から肥料を貯留ホッパ７１に戻す際の作業性を向上させることができる。
【０１１１】
また、試し繰り出しを行う場合に、電動モータ７７による繰出部７２の回転速度を変更可能としてもよい。例えば、試し繰り出し時の回転速度を低速とすることで、繰出部７２からの試し繰り出し量を安定させ、正確な比重を算出することができる。また、例えば、試し繰り出し時の回転速度を高速とすることで、試し繰り出しを早期に終了させることができる。なお、回転速度は、作業者の好みの回転速度に設定可能としてもよい。
【０１１２】
また、電動モータ７７は、回転数を設定可能としてもよい。これにより、設定した回転数で試し繰り出しを行うことができ、試し繰り出し量を正確に計測することができ、正確な比重を算出することができる。また、試し繰り出しにおける回転数を増加させた場合でも試し繰り出し量を正確に計測することができ、正確な比重を算出することができる。
【０１１３】
なお、上記したように、回転数が設定された場合には、情報処理端末１５０ｂは、設定された回転数に応じて比重を算出する式を変更する。また、電動モータ７７の回転数に関する情報（信号）を情報処理端末１５０ｂに転送し、情報処理端末１５０ｂは、回転数に基づいて自動的に比重を算出する式を変更してもよい。
【０１１４】
また、重量計９０の受け皿９２から貯留ホッパ７１に肥料を戻すためのホースや、肥料を吸引するブロアを設けてもよい。これにより、作業者が肥料を貯留ホッパ７１に戻す手間を省くことができる。なお、切替弁などを設け、肥料を吸引するブロアとして、ブロア７３を用いてもよい。これにより、コストを低減することができる。
【０１１５】
また、圃場に肥料を供給し、苗移植機１の走行速度が高い場合に、走行速度に対する繰り出し量を少なく、すなわち繰出部７２の回転速度を小さくしてもよい。これは、繰出部７２が慣性により、多く回転することがあるためである。これにより、施肥装置７０は、適切な施肥量を圃場に供給することができる。なお、苗移植機１の走行速度が、例えば、０．６ｍ／ｓ以下となるような低速の場合には、繰出部７２が多く回転することがないため、このような調整を行わなくてもよい。
【０１１６】
また、繰出部７２の凹部における回転方向後方の壁部が、径方向に沿うように形成されてもよい。これにより、繰出部７２が回転した際に、凹部に入った肥料が押し出されることを抑制することができる。
【０１１７】
また、重量センサを、施肥装置７０に設け、貯留ホッパ７１内の肥料の重量を計測してもよい。重量センサは、例えば、各繰出部７２付近に配置される。貯留ホッパ７１内の肥料が多い場合には、少ない場合よりも繰出部７２の１回転当たりの繰り出し量が多くなる。そのため、情報処理端末１５０ｂは、重量センサによって計測した貯留ホッパ７１内の重量に関する情報に基づいて、貯留ホッパ７１内の肥料が重いほど、比重が大きくなるように補正係数を設定し、算出した比重に基づいて、施肥開始時の繰出部７２の回転速度を低くする。そして、施肥開始からの時間が長くなるにつれて、繰出部７２の回転速度を高くする。すなわち、情報処理端末１５０ｂは、貯留ホッパ７１内の肥料の重量に基づいて、繰出部７２の回転速度を制御する。これにより、貯留ホッパ７１内の肥料の重量に関わらず、圃場に供給する施肥量を設定された量にすることができ、肥料過多、または肥料不足による作物の生育不良を抑制することができる。また、情報処理端末１５０ｂは、苗移植機１の走行距離に基づいて、同様に繰出部７２の回転速度を制御してもよい。なお、貯留ホッパ７１内に肥料の量を検知するスイッチを設け、スイッチの信号に基づいて、同様に繰出部７２の回転速度を制御してもよい。
【０１１８】
さらに、貯留ホッパ７１の蓋の開閉を検知するスイッチを設け、貯留ホッパ７１の蓋が開かれた場合に、算出した比重をリセットしてもよい。貯留ホッパ７１の蓋が開かれた場合には、肥料の補充が行われることがある。そのため、上記のように算出した比重をリセットし、貯留ホッパ７１の蓋が閉じられた場合に、再度、比重を算出する。これにより、圃場に供給する施肥量を設定された量にすることができ、肥料過多、または肥料不足による作物の生育不良を抑制することができる。
【０１１９】
また、貯留ホッパ７１内に湿度計を設け、湿度計によって貯留ホッパ７１内の湿度を計測してもよい。湿度が高くなると、１回転当たりの繰り出し量が少なくなる。そのため、情報処理端末１５０ｂは、湿度に関する情報に基づいて、湿度が高いほど、繰出部７２の回転速度を高くする。すなわち、情報処理端末１５０ｂは、湿度に基づいて繰出部７２の回転速度を制御する。これにより、圃場に供給する施肥量を設定された量にすることができ、肥料過多、または肥料不足による作物の生育不良を抑制することができる。
【０１２０】
また、情報処理端末１５０ｂは、肥料の種類に基づいて、繰出部７２の回転速度を制御してもよい。例えば、粉が多い肥料は、繰出部７２への付着が増えるため、１回転当たりの繰り出し量が少なくなる。そのため、情報処理端末１５０ｂは、粉が多い肥料の場合には、繰出部７２の回転速度を高くする。これにより、圃場に供給する施肥量を設定された量にすることができ、肥料過多、または肥料不足による作物の生育不良を抑制することができる。
【０１２１】
また、貯留ホッパ７１内にカメラを設け、情報処理端末１５０ｂは、カメラによって撮影して取得した画像に基づいて、繰出部７２の回転速度を制御してもよい。例えば、肥料の形状が丸いほど、肥料の形状が揃っているほど、または肥料の粒が小さいほど、１回転当たりの繰り出し量が多くなる。そのため、情報処理端末１５０ｂは、これらの場合には、繰出部７２の回転速度を低くする。これにより、圃場に供給する施肥量を設定された量にすることができ、肥料過多、または肥料不足による作物の生育不良を抑制することができる。
【０１２２】
また、情報処理端末１５０ｂは、深度センサ１１１によって検出した圃場の水深に基づいて、繰出部７２の回転速度を制御してもよい。例えば、水深が深い場合には、肥料が流され易い。そのため、情報処理端末１５０ｂは、水深が深いほど、繰出部７２の回転速度を高くする。これにより、肥料不足による作物の生育不良を抑制することができる。
【０１２３】
また、情報処理端末１５０ｂは、苗移植機１の走行速度に基づいて、繰出部７２の回転速度を制御してもよい。例えば、走行速度が高くなるほど、肥料が流されやすい。そのため、情報処理端末１５０ｂは、走行速度が高くなるほど、繰出部７２の回転速度を高くする。これにより、肥料不足による作物の生育不良を抑制することができる。
【０１２４】
また、情報処理端末１５０ｂは、苗移植機１の前後方向の傾きに基づいて、繰出部７２の回転速度を制御してもよい。例えば、苗移植機１が前上がりで走行している場合には、施肥ガイド７５の先端が土壌内に入っていることがあり、肥料が流され難くなる。そのため、情報処理端末１５０ｂは、苗移植機１が前上がりで走行している場合には、繰出部７２の回転速度を低くする。これにより、肥料過多による作物の育成不良を抑制することができる。
【０１２５】
また、情報処理端末１５０ｂは、電動モータ７７を操作する操作部（操作ボタン）を設けてもよい。これにより、例えば、作業者は、操縦座席２８に座った状態で試し繰り出しを行うことができる。そのため、試し繰り出しに掛かる作業者の手間を低減し、作業性を向上させることができる。
【０１２６】
また、田植を開始するためのボタン２０２がタッチされた場合には、情報処理端末１５０ｂは算出した比重を記憶してもよい。そして、圃場を移動し、再度、田植を開始するためのボタン２０２がタッチされた場合には、記憶した比重に基づいて繰出部７２の回転速度を設定してもよい。これにより、圃場を移動し、同じ肥料を圃場に供給する場合に、再度、試し繰り出しを行わずに、設定された施肥量の肥料を圃場に供給することができ、作業性を向上させることができる。
【０１２７】
また、情報処理端末１５０ｂは、同じ種類（同一銘柄）の肥料の比重の平均値を計算し、記憶してもよい。これにより、同じ種類の肥料を使用する際に、試し繰り出しを行わずに、記憶した平均値を用いて肥料を圃場に供給することができ、作業性を向上させることができる。また、試し繰り出しを行って計算した比重と、記憶している比重との偏差の絶対値が予め設定された値よりも大きくなった場合には、情報処理端末１５０ｂは、エラー（警告）表示を行ってもよい。これにより、例えば、作業者が、間違った種類の肥料を貯留ホッパ７１に投入した場合に、作業者にその旨を報知することができる。
【０１２８】
また、情報処理端末１５０ｂは、タブレット端末を一例として説明したが、これに限られることはない。情報処理端末１５０ｂは、走行パネルに設けられてもよい。
【０１２９】
なお、上記実施形態では、繰出部７２、施肥ホース７４などを、条数に応じて設ける場合を一例として説明したが、これに限定されるものではない。例えば、２条に対し、１つの繰出部７２、および１本の施肥ホース７４などを設けてもよい。この場合、例えば、隣接する２条間の中間付近に施肥ガイド７５によって肥料を供給する。
【０１３０】
なお、コントローラ１５０ａは、複数のコントローラによって構成されてもよい。
【０１３１】
さらなる効果や変形例は、当業者によって容易に導き出すことができる。このため、本発明のより広範な態様は、以上のように表しかつ記述した特定の詳細、および代表的な実施形態に限定されるものではない。従って、添付の特許請求の範囲、およびその均等物によって定義される総括的な発明の概念の精神または範囲から逸脱することなく、様々な変更が可能である。
【符号の説明】
【０１３２】
１        苗移植機（作業車両）
２        走行車体
７０      施肥装置
７１      貯留ホッパ（貯留部）
７２      繰出部
７２Ａ    繰出部
７３      ブロア
７４      施肥ホース
７７      電動モータ
７８      案内ホース（中空部材）
９０      重量計（計測部）
９２      受け皿（皿部）
１０１    施肥量調節モータ
１５０    制御装置
１５０ａ  コントローラ
１５０ｂ  情報処理端末（情報処理装置）
【図１】
2018198562.tif 000003
【図２】
2018198562.tif 000004
【図３】
2018198562.tif 000005
【図４】
2018198562.tif 000006
【図５】
2018198562.tif 000007
【図６】
2018198562.tif 000008